(57)【要約】  ＳＤＨ／ＳＯＮＥＴの低次群パスをパケット化する伝送装置において、ＳＤＨ／ＳＯＮＥＴの転送単位である１フレーム内に含まれる低次群パス信号のデータ量は、ＭＡＣフレームの最小長よりも少ない。このため、ＳＤＨ／ＳＯＮＥＴの転送単位である１フレームを基準としたパケット化を行うと、転送効率が悪くなる。一方、パケット化に際し、ＳＤＨ／ＳＯＮＥＴフレームを複数一旦蓄積した後、複数のフレームから取り出した低次群パス情報を同一パケットに多重し、転送効率向上を図る場合、蓄積に際しての遅延が大きくなる。  ＳＤＨ／ＳＯＮＥＴの低次群パスをパケット化する伝送装置において、ＳＤＨフレーム１周期の整数分の１のタイミングでパケット化処理を行なう。このとき、行先が同じ複数の低次群パスを１つのパケットに搭載する。この結果、低次群パスのパケット化に伴う遅延時間をＳＤＨフレーム１周期時間未満に抑え、しかもパケットへの低次群パスの収容効率を高める。この結果、伝送効率の向上を実現した。
2010055547.tif 000002
【特許請求の範囲】
【請求項１】
第１の伝送路と接続された受信インタフェースと、第２の伝送路と接続された送信インタフェースとを備え、
前記受信インタフェースは、受信信号に含まれる低次群パスについて、前記受信信号の１フレーム時間未満の周期で複数のパケットにパケット化する手段を備え、
前記送信インタフェースは、前記複数のパケットを前記第２の伝送路へ送信することを特徴とする伝送装置。
【請求項２】
請求項１に記載の伝送装置であって、
複数の前記受信インタフェースと、複数の前記送信インタフェースと、前記低次群パスにおけるマルチフレーム長の周期のフレームパルスを前記受信インタフェースと前記送信インタフェースとに分配する手段と、前記受信インタフェースと前記送信インタフェースとを選択接続するパケットスイッチとを、さらに備え、
複数の前記受信インタフェースは、それぞれの低次群パスのマルチフレームの先頭を揃えることを特徴とする伝送装置。
【請求項３】
請求項２に記載の伝送装置であって、
前記受信インタフェースは、前記マルチフレームの先頭を揃えるときに、前記低次群パスのポインタ値を更新し、
前記パケット化する手段は、前記ポインタ値を含めてパケット化することを特徴とする伝送装置。
【請求項４】
請求項２に記載の伝送装置であって、
前記パケット化する手段は、同じ宛先の異なる低次群パスを１つのパケットに多重することを特徴とする伝送装置。
【請求項５】
請求項３に記載の伝送装置であって、
前記パケット化する手段は、同じ宛先の異なる低次群パスを１つのパケットに多重することを特徴とする伝送装置。
【請求項６】
第１の伝送路と接続された第１のインタフェースと、第２の伝送路と接続された第２のインタフェースとを備え、
前記第１のインタフェースは、前記第１の伝送路からの受信信号に含まれる低次群パスについて、複数の第１のパケットにパケット化し、
前記第２のインタフェースは、前記複数の第１のパケットを前記第２の伝送路へ送信し、前記第２の伝送路から受信した第２のパケットを前記第１のインタフェースに転送し、
前記第１のインタフェースは、複数の前記第２のパケットに基づいて送信信号を生成し、前記第１の伝送路に送信することを特徴とする伝送装置。
【請求項７】
請求項６に記載の伝送装置であって、
前記第１のインタフェースは、前記低次群パスと前記第１のパケットの宛先とを定義した第１のテーブルと、前記第２のパケットと前記送信信号へのマッピング情報とを定義した第２のテーブルとを保持し、
前記第１のテーブルと前記第２のテーブルとは、それぞれ現用面と待機面とを有し、
前記第２のパケットに含まれる面情報に基づいて、前記第２のテーブルの面を決定することを特徴とする伝送装置。
【発明の詳細な説明】
【技術分野】
【０００１】
本発明は、ＳＤＨ／ＳＯＮＥＴ信号をパケット化し、転送する機能を有する伝送装置に関するものである。
【背景技術】
【０００２】
近年、通信キャリアのバックボーンネットワークのフルＩＰ・Ｅｔｈｅｒ化が進展している。その結果、旧来から存在するＳＤＨ／ＳＯＮＥＴ技術をベースとするバックボーンネットワークと新しいＩＰ・Ｅｔｈｅｒ技術をベースとするバックボーンネットワークが並存する状況となっている。【０００３】
このような状況を受け、ネットワーク並存による設備、保守の非効率解消のために、ＳＤＨ／ＳＯＮＥＴ信号をＩＰ・Ｅｔｈｅｒパケット化することにより、ＩＰ・Ｅｔｈｅｒベースのバックボーンネットワークに集約を図るための検討が行われている。この検討は、具体的には、ITU−T
Y.1370.1、Y.1371、Y.1381などに規定されるＴ−ＭＰＬＳ技術などである。【０００４】
しかし、ＳＤＨの標準であるＩＴＵ−Ｔ Ｇ.７０７で規定されるＶＣ−１１、ＶＣ−１２などの低次群パスは、ＳＴＭ−０（５１.８４Ｍｂｉｔ／ｓｅｃ）１フレーム中の１パスあたりのバイト数はそれぞれ２７バイト（管理バイトを除く純粋なユーザトラフィック部分は２５バイト）、３６バイトしかない。このため、低次群パスは、パケット化を行う単位によっては、パケット化の際に付加されるオーバヘッド、フレーム間ギャップ等による非ペイロードが通信に占める割合が高まり、逆にペイロードの割合が低下する。これを防止するためには、非特許文献１に記述されている様に、低次群パスをフレーム単位を基本として、十分長い時間一旦蓄積し、纏めてパケット化する方式が考えられる。例えば、ＶＣ−１１ １パスをＳＴＭ−０ １０フレーム分蓄積してパケット化すれば、ペイロードの占有率を１０倍にすることができる。非特許文献１では、２５バイト（１フレーム分）を基本単位とし、整数倍分蓄積し、一括してパケット化する方式が勧告されている。しかし、蓄積時間が長くなると、おのずと遅延時間が増大する。【０００５】
【非特許文献１】ＩＴＵ、「ITU−T Y.1413TDM−MPLS network interworking−User plane interworking」、９.１.１節、２００４年
【発明の開示】
【発明が解決しようとする課題】
【０００６】
本発明が解決しようとする課題は、ＳＤＨ／ＳＯＮＥＴ信号の低次群パスをパケット化する際に、ペイロード（実トラフィック）の割合を高め、且つ装置を通過する際に生じる遅延を低減することである。
【課題を解決するための手段】
【０００７】
本発明は、ＳＤＨ／ＳＯＮＥＴインタフェース部に対し、低次群パスのマルチフレーム同期タイミングと等価な基準フレームパルスを配布し、低次群パスのパケット化処理部において、低次群パスのマルチフレームの先頭位置を揃える。この結果、装置内で流通するパケット内に収容された低次群パスのマルチフレームの先頭位置を決定するためのルールを一本化する。これにより、パケット内へ複数パスを多重化した場合においても、各パスを識別するためのルールをパケット内の位置関係より、一意に決定する。この結果、パケット中への低次群パス多重の容易化を実現し、実トラフィックの転送効率を向上する。１フレームを複数に分割してパケット化することにより、パケット化に伴う遅延を１フレーム長時間以下に低減する。
【発明の効果】
【０００８】
本発明による伝送装置は、ＳＯＮＥＴ／ＳＤＨ信号をパケット化し伝送する際に、パケット化に伴うオーバヘッドなどの非ペイロードの増加を抑え、同時にパケット化に伴う遅延を低減することができる。
【発明を実施するための最良の形態】
【０００９】
以下、本発明の実施の形態について、実施例を用い図面を参照しながら説明する。なお、実質同一部位には同じ参照番号を振り、説明は繰り返さない。
【実施例１】
【００１０】
図１ないし図７を参照して、実施例１を説明する。まず、図１を参照して、ＭＰＬＳ伝送装置を含んで構成したネットワークを説明する。図１において、ネットワーク１０００は、５台のＭＰＬＳ伝送装置１００、ＳＤＨ伝送装置６、交換機８、電話機１０、ルータ１２、ＭＰＬＳフレーム伝送網１６により、構成されている。また、外部監視制御装置１１０は、監視制御系用データ転送網（ＤＣＮ）１７によりＭＰＬＳ伝送装置１００に接続されている。【００１１】
図１では、ＭＰＬＳ伝送装置１００−２は、ＳＤＨ ＳＴＭ−１インタフェース１８−１によりＳＤＨ伝送装置６−１と接続し、イーサ・インタフェース２４−３によりルータ１２−２と接続する。ＭＰＬＳ伝送装置１００−３は、ＳＤＨ ＳＴＭ−１インタフェース１８−２によりＳＤＨ伝送装置６−２と接続する。ＳＤＨ伝送装置６は、各々ＳＤＨ Ｃ−１１インタフェース２０により交換機８と接続する。交換機８は、加入電話インタフェース２２により電話機１０と接続する。ＭＰＬＳ伝送装置１００−１、１００−４は、ＩＥＥＥ８０２.３インタフェース２４によりルータ１２−１、１２−３に接続する。ＳＤＨ伝送装置６は、ＳＤＨ Ｃ−１１インタフェース２０より、１.５Ｍｂｉｔ／ｓｅｃの信号を受信し、ＴＵ−１１パスを形成する。ＳＤＨ伝送装置６は、さらに、ＩＴＵ−Ｔ Ｇ.７０７に規定されるＳＤＨの多重化則に従いＳＴＭ−１信号にまで多重し、ＳＤＨ ＳＴＭ−１インタフェース１８に各々送出する。【００１２】
ＭＰＬＳフレーム伝送網１６内は、伝送媒体（物理層）としてＩＥＥＥ８０２.３、ＰＯＳ（Packet
Over SONET）インタフェース等のバリエーションが有り得るが、何れにしてもＭＰＬＳフレームによる伝送が行われる。【００１３】
従来、ＳＤＨ伝送装置６は、更に多重度を上げる大容量のＳＤＨ多重伝送装置またはクロスコネクトを行うＳＤＨクロスコネクトなどに接続し、ＳＤＨ伝送装置６よりも内部の網内を全てＩＴＵ−Ｔ Ｇ.７０７により規定されるＳＤＨインタフェースで接続し、網を構成していた。実施例１のネットワーク１０００では、ＳＤＨ伝送装置６は、ＭＰＬＳ伝送装置１００に接続し、ＭＰＬＳ伝送装置以降、全てＭＰＬＳフレームによる信号伝送を行なう。【００１４】
図１では、外部監視制御装置１１０からの設定により、ＭＰＬＳ伝送装置１００−２、−３および１００−５により、ＭＰＬＳフレーム伝送網１６内にＭＰＬＳパス２７（ＬＳＰ）を形成し、ＭＰＬＳパス２７を経由し、ＳＤＨ伝送装置６−１、６−２間にＶＣ−１１低次群パス２８を形成している。【００１５】
図２を参照して、ＭＰＬＳ伝送装置の機能ブロックを説明する。図２において、ＭＰＬＳ伝送装置１００は、ＭＰＬＳラベルスイッチ１０４、複数のＩＴＵ−Ｔ Ｇ.７０７インタフェース２００、複数のＩＥＥＥ８０２.３インタフェース１２０、基準フレームパルス・クロック分配部２４１、装置内監視制御部２５１よりなる。また、ＭＰＬＳ伝送装置１００外部に、オペレータによるＭＰＬＳ伝送装置１００の監視制御を行う外部監視制御部１１０を設置する。【００１６】
ＩＴＵ−Ｔ Ｇ.７０７インタフェース２００およびＩＥＥＥ８０２.３インタフェース１２０は、各々装置外部との信号の送受を行なう。また、ＩＴＵ−Ｔ Ｇ.７０７インタフェース２００およびＩＥＥＥ８０２.３インタフェース１２０は、ＭＰＬＳラベルスイッチ１０４と接続し、信号の送受を行なう。【００１７】
基準フレームパルス・クロック分配部２４１は、基準となるフレームパルス、およびクロックを発生させる。また、基準フレームパルス・クロック分配部２４１は、ＩＴＵ−Ｔ Ｇ.７０７インタフェース２００、ＩＥＥＥ８０２.３インタフェース１２０と接続し、基準フレームパルスおよびクロックを供給する。【００１８】
装置内監視制御部２５１は、外部監視制御部１１０と接続し、外部監視制御部１１０からの制御情報を受信し、ＩＴＵ−Ｔ Ｇ.７０７インタフェース２００、ＩＥＥＥ８０２.３インタフェース１２０、ＭＰＬＳラベルスイッチ１０４の制御を行なう。装置内監視制御部２５１は、また、これらの機能ブロックの監視を行なう。さらに、装置内監視制御部２５１は、外部監視制御部１１０に対し、監視情報の提供を行なう。【００１９】
図３を参照して、ＩＴＵ−Ｔ Ｇ.７０７インタフェース２００の機能ブロックを説明する。図３において、ＩＴＵ−Ｔ Ｇ.７０７インタフェース２００は、伝送装置外部からの信号を受信し、ＭＰＬＳラベルスイッチ１０４に対し主信号を転送するフロー（以下、受信側フローと称する）上の機能ブロック群、およびＭＰＬＳラベルスイッチ１０４からの信号を受信し、伝送装置外部への信号の送信を行うフロー（以下、送信側フローと称する）上の機能ブロック群およびその他の共通機能ブロック群より構成される。また、図３では、説明のため、基準フレームパルス・クロック分配部２４１、装置内監視制御部２５１についても併記する。【００２０】
受信側フロー上の機能ブロック群は、セクション・高次群パス同期確立部２０１、低次群パス同期確立部２０２、受信側バッファ書込制御部２０７と受信側ＶＣ−１１パスバッファ２０８と受信側バッファ読出制御部２０９により構成される受信側バッファ２０３、ラベル毎ＭＰＬＳカプセル化処理部２６１とポインタ入替処理部２６２により構成されるＭＰＬＳカプセル化部２０４により構成し、前記の順序で接続する。【００２１】
送信側フロー上の機能ブロック群は、ＭＰＬＳカプセル化解除部２１４、送信側バッファ書込制御部２１７と送信側ラベル毎バッファ２１８と低次群パスデータ読出制御部２１９により構成される送信側バッファ２１３、低次群パスマッピング部２１２、セクション・高次群パスマッピング部２１１により構成し、前記の順序で接続する。【００２２】
その他の共通機能ブロック群は、位相比較部２０５およびポインタ再計算部２０６により構成される低次群パス間位相整合制御部２１０、基準位相生成部２２１、クロスコネクト情報２２３を保持するＩＦ内監視制御部２２２よりなる。基準フレームパルス・クロック分配部２４１は、基準位相生成部２２１に対し、基準フレームパルスおよび基準クロックの供給を行なう。基準位相生成部２２１は、この基準フレームパルスおよび基準クロックを分周し、ＩＴＵ−Ｔ Ｇ.７０７インタフェース２００内で使用する基準フレームパルスおよびクロックを生成する。基準位相生成部２２１は、位相比較部２０５、ＭＰＬＳカプセル化部２０４、低次群パスマッピング部２１２、セクション・高次群パスマッピング部２１１に対し、基準フレームパルスおよびクロックを供給する。また、装置内監視制御部２５１は、ＩＦ内監視制御部２２２に接続し、制御情報の送信、および監視情報の受信を行なう。【００２３】
まず、受信側フローに関する処理の概要を説明する。セクション・高次群パス同期確立部２０１は、伝送装置外部からのＩＴＵ−Ｔ Ｇ.７０７準拠の信号を受信し、ＩＴＵ−Ｔ Ｇ.７０７により規定されるセクション、および高次群パスとの同期を確立する。セクション・高次群パス同期確立部２０１は、これらのセクション、および高次群パスの終端処理を行ない、低次群パス同期確立部２０２に対し、処理後の信号を受け渡す。【００２４】
低次群パス同期確立部２０２は、セクション・高次群パス同期確立部２０１により処理された信号を受け取り、ＩＴＵ−Ｔ Ｇ.７０７に規定される低次群パスとの同期を確立する。【００２５】
ＩＴＵ−Ｔ Ｇ.７０７に規定される高次群パスおよび低次群パスは、ポインタ同期方式によりＩＴＵ−Ｔ Ｇ.７０７セクションフレーム上にマッピングされ、各パス毎に基準となるセクションフレームとの位相関係は異なっている。低次群パス同期確立部２０２は、受信したセクションの位相情報および各高次群パスのポインタ情報、各低次群パスのポインタ情報を位相比較部２０５に対し提供する。低次群パス同期確立部２０２は、受信した低次群パスデータを受信側バッファ２０３内の各低次群パス毎所定のパスバッファに保存する。位相比較部２０５は、低次群パス同期確立部２０２より受け取った、伝送装置外部インタフェースからの信号より抽出したセクション位相、および高次群パスのポインタ情報、低次群パスのポインタを基準位相生成部２２１から受け取った装置内の基準フレームパルスとの位相と比較し、位相差を計算する。また、位相比較部２０５は、計算した各低次群パスの基準フレームパルスからの位相差、および低次群パスのポインタ情報をポインタ再計算部２０６に対し受け渡す。【００２６】
ポインタ再計算部２０６は、位相比較部２０５より受け取った各低次群パスのポインタ情報、および装置内の基準フレームパルスからの位相差情報を元に、各低次群パスのポインタ情報を再計算する。ＭＰＬＳカプセル化部２０４は、ＩＦ内監視制御部２２２より提供される各低次群パスの行先を示したクロスコネクト情報２２３を元に、受信側バッファ２０３に蓄積された低次群パス信号を基準位相生成部２２１から提供された装置内基準フレームパルスおよび基準クロックを元に、適宜読出しを実行する。ＭＰＬＳカプセル化部２０４は、ＭＰＬＳフレーム内のペイロード部へのマッピングすなわちカプセル化を行なう。なお、この際の低次群パス信号のＭＰＬＳフレーム内のペイロード部へのマッピング方法については、後述する。低次群パス信号をペイロード部に格納したＭＰＬＳフレームについて、ＭＰＬＳカプセル化部２０４は、随時ＭＰＬＳラベルスイッチ１０４に対し送出する。なお、受信バッファ２０３の受信側バッファ書込制御部２０７、受信側ＶＣ−１１パスバッファ２０８、受信側バッファ読出制御部２０９の動作は、図６で詳細に説明する。【００２７】
次に、送信側フローに関する処理の概要を説明する。ＭＰＬＳカプセル化解除部２１４は、ＭＰＬＳラベルスイッチ１０４からのＭＰＬＳフレームを受信する。ＭＰＬＳカプセル化解除部２１４は、ペイロード部を取り出し、送信側バッファ２１３に保存する。低次群パスマッピング部２１２は、基準位相生成部２２１より提供された装置内基準フレームパルス、基準クロックおよびＩＦ内監視制御部２２２により提供される低次群パスのクロスコネクト情報２２３を元に、送信側バッファ２１３の対応箇所より順次低次群パス信号の読出を行い、セクション・高次群パスマッピング部２１１へ受け渡す。【００２８】
セクション・高次群パスマッピング部２１１は、基準位相生成部２２１より提供された装置内基準フレームパルス、基準クロックおよびＩＦ内監視制御部２２２により提供される低次群パスのクロスコネクト情報２２３を元に、高次群パスへの低次群パスのマッピング、更に高次群パスのセクションフレームへのマッピングを行なう。セクション・高次群パスマッピング部２１１は、ＩＴＵ−Ｔ Ｇ.７０７により規定されるセクション信号を構成し、外部インタフェースに、送信する。なお、送信バッファ２１３の送信側ラベル毎パスバッファ２１８、送信側バッファ読み出し制御部２１９の動作は、図７で詳細に説明する。【００２９】
図４を参照して、ＩＴＵ−Ｔ Ｇ.７０７により規定されているＳＴＭ−１セクションフレームの構成、ＳＴＭ−１フレーム内での高次群パスＶＣ−４のマッピング、低次群パスＶＣ−１１のＶＣ−４内のマッピングおよび低次群パスＶＣ−１１パスのＭＰＬＳフレームへの収容方法を説明する。ここで、図４（ａ）は、ＳＴＭ−１のフレームフォーマットである。図４（ｂ）は、ＶＣ−４ペイロードの１行分のフォーマットである。図４（ｃ）は、ＶＣ−１１パス収容ＭＰＬＳフレームのフォーマットである。【００３０】
図４（ａ）において、ＩＴＵ−Ｔ Ｇ.７０７により規定されるＳＴＭ−１セクションフレームは、一般に２７０ｂｙｔｅ×９行のフォーマットで構造を表記する。これは、２７０バイト周期でセクションフレームの制御情報を配置し、２７０×９ｂｙｔｅをＳＴＭ−１の１フレーム周期（１２５μｓｅｃ）としていることによる。ＳＴＭ−１セクションフレーム３１０は、中継セクションオーバヘッド３１１、ＡＵポインタ３１２、多重セクションオーバヘッド３１３、パスオーバヘッド３１４、Ｆｉｘｅｄ Ｓｔｕｆｆ３１５、ＶＣ−４ペイロード３００で構成される。ＳＴＭ−１フレーム内で、高次群パスＶＣ−４のペイロード３００は、各行の１３ｂｙｔｅ目から２７０ｂｙｔｅ目まで割り当てられている。ＶＣ−４ペイロード３００領域内の高次群パスＶＣ−４の先頭位置は、ＡＵポインタ３１２により、指示される。【００３１】
図４（ｂ）は、ＶＣ−４のペイロード３００の１行分である。ＶＣ−４のペイロード１行３０１において、先頭の６ｂｙｔｅ分は、Ｆｉｘｅｄ Ｓｔｕｆｆとなっている。Ｆｉｘｅｄ Ｓｔｕｆｆ部分は、低次群パスＶＣ−１１のデータはマッピングされていない。７ｂｙｔｅ目からが低次群パスＶＣ−１１のデータで、以降、７ｂｙｔｅ目から９０ｂｙｔｅまで独立した低次群パスＶＣ−１１のデータが１ｂｙｔｅ単位でマッピングされている。以降８４ｂｙｔｅ周期で同一の低次群パスＶＣ−１１のデータがマッピングされ、これが全体で３回繰り返される。したがって、ある低次群パスＶＣ−１１＃ａのデータは、高次群パスＶＣ−４ １行の中に３ｂｙｔｅ含まれており、高次群パスＶＣ−４ １フレーム周期あたり、３×９＝２７ｂｙｔｅのデータが含まれている。【００３２】
図４（ｂ）において、低次群パスＶＣ−１１＃ａの先頭であるａ１バイトは、７ｂｙｔｅ目から９０ｂｙｔｅまでに含まれ、それ以降８４ｂｙｔｅごとにａ２、ａ３がマッピングされている。また、ａ１バイト等のマッピング位置は、上位装置により指示される。【００３３】
図４（ｃ）は、ＩＴＵ−Ｔ Ｇ.７０７により規定されるＳＴＭ−１セクションフレームを３分割し、分割した各々を個別のＭＰＬＳフレームに収容する場合を示している。ＳＴＭ−１セクションフレーム１つ分に含まれるＶＣ−１１情報を３分割して収容するＭＰＬＳフレーム３０２−１〜３０２−３として示す。図４（ｃ）では、３行分、３×３＝９ｂｙｔｅ分の低次群パスＶＣ−１１信号を収容している。なお、３行はＳＴＭ−１フレーム一周期の１／３周期に相当している。ＭＰＬＳフレーム３０２−１は、ＳＴＭ−１フレーム中の１〜３行目に含まれるＶＣ−１１のデータを収容する。ＭＰＬＳフレーム３０２−３は、ＳＴＭ−１フレーム中の４〜６行目に含まれるＶＣ−１１のデータを収容する。ＭＰＬＳフレーム３０２−３は、ＳＴＭ−１フレーム中の７〜９行目に含まれるＶＣ−１１のデータを収容する。【００３４】
また、低次群パスＶＣ−１１をカプセル化したＭＰＬＳフレーム３０２には、行先が同一の低次群パスＶＣ−１１＃ａ、＃ｂなど、複数の低次群パスを１つのＭＰＬＳフレームに多重して収容している。なお、ＭＰＬＳフレームのスイッチングにあたっては、ＭＰＬＳフレーム３０２のヘッダ情報であるＭＰＬＳシムヘッダ３０５中に存在するＭＰＬＳラベル３０８を元にスイッチングが行われる。ＭＰＬＳフレーム３０２−１〜３０２−３は、同一の行先であるので、ＭＰＬＳラベル３０８−１〜３０８−３は、同一の値となる。なお、ＭＰＬＳフレーム３０２に収容する低次群パスＶＣ−１１のデータ長が最小フレーム長未満となる場合には、不足分をＰＡＤで埋める。【００３５】
図５を参照して、低次群パス間位相制御部２１０の動作を説明する。図５は、受信した全低次群パスＶＣ−１１の位相をＭＰＬＳフレームへカプセル化する際に、装置内基準フレームパルスに合致させ、かつ新ポインタ値を計算するタイミングチャートである。ここで、図５（ａ）は、装置内基準フレームパルス（ＦＰ：Frame Pulse）である。ＦＰは、ＶＣ−１１マルチフレームの周期である２ｋＨｚに合致する。図５（ｂ）は、受信ＶＣ−１１＃ａデータを時系列に並べた波形である。図５（ｃ）は、送信ＶＣ−１１＃ａデータを時系列に並べた波形である。図５（ｄ）は、受信ＶＣ−１１＃ｂデータを時系列に並べた波形である。図５（ｅ）は、送信ＶＣ−１１＃ｂデータを時系列に並べた波形である。図５（ｆ）は、受信ＶＣ−１１＃ｃデータを時系列に並べた波形である。さらに、図５（ｇ）は、送信ＶＣ−１１＃ｃデータを時系列に並べた波形である。なお、図示の簡便のため、図５（ｃ）、（ｅ）、（ｇ）は、１つ前のフレームパルスを基準として、記載している。ここで、受信ＶＣ−１１データとしては、受信バッファ書込制御部２０７の受信タイミングでの波形を図示している。さらに、送信ＶＣ−１１データとしては、送信バッファ読出制御部２０９の送信タイミングでの波形を図示している。【００３６】
図５の各図において、横軸は時間であり、１マスは１２５／３μｓｅｃ、すなわちＳＴＭ−１フレーム周期８ｋＨｚの１／３周期分の幅を示している。このため、３マスがＳＴＭ−１フレーム周期８ｋＨｚの一周期分、１２５μｓｅｃに一致している。この間に含まれている各低次群パスＶＣ−１１のデータ量は２７ｂｙｔｅである。また、図５（ａ）において、低次群パスＶＣ−１１は、４マルチフレーム構造を持っている。したがって、低次群パスＶＣ−１１は、ＳＴＭ−１ １フレーム周期（＝１２５μｓｅｃ）×４周期分である５００μｓｅｃで１周期となっている。【００３７】
図５（ｂ）において、受信した低次群パスＶＣ−１１＃ａは、ここでは装置内基準フレームパルスを受信後、３２ｂｙｔｅ分離れた位置に低次群パスのマルチフレーム内で管理バイトの１つであるＶ２バイトが出現する。なお、Ｖ２バイトは、低次群パスのマルチフレーム内で、Ｖ１バイトとともに、収容するトラフィックの先頭位置を示すポインタ情報を格納する。以降の説明では、これを装置内基準フレームパルスの基準位置からＶ２バイトは３２ｂｙｔｅ分のオフセットがあると記述する。【００３８】
ＶＣ−１１＃ａは、装置内基準フレームパルスから３２ｂｙｔｅ分のオフセットがあり、Ｖ１およびＶ２で示されるポインタ値は６である。これは、低次群パスＶＣ−１１＃ａのペイロードの先頭が、Ｖ２の後方６ｂｙｔｅ目にあり、同時に、装置内基準フレームパルスからは３２＋６＝３８ｂｙｔｅ目にあることを示している。【００３９】
同様に、図５（ｄ）において、受信低次群パスＶＣ−１１＃ｂは、装置内基準フレームパルスに対し、８ｂｙｔｅのオフセットを持ち、ポインタ値は７３である。図５（ｆ）において、受信低次群パスＶＣ−１１＃ｃは、装置内基準フレームパルスに対し、８１ｂｙｔｅのオフセットを持ち、ポインタ値は９１である。【００４０】
また、図５（ｃ）、（ｅ）、（ｇ）において、送信ＶＣ−１１＃ａ、送信ＶＣ−１１＃ｂ、送信ＶＣ−１１＃ｃのマルチフレームの先頭位置であるＶ１の位置は、装置内基準フレームパルスより１２５μｓｅｃ前に揃える。したがって、全ての送信パスのポインタ位置Ｖ２は、装置内基準フレームパルスの位置と一致する。また、送信ＶＣ−１１＃ａ、送信ＶＣ−１１＃ｂ、送信ＶＣ−１１＃ｃの送信データは、ＦＰに対して同じタイミングの受信ＶＣ−１１＃ａ、受信ＶＣ−１１＃ｂ、受信ＶＣ−１１＃ｃの受信データとする。すなわち、ポインタの指し示す位置は、ＦＰに対して同じ位置（図５（ｂ）から（ｃ）への矢印）とする。【００４１】
以上より、ポインタ再計算部２０６は、各送信ＶＣ−１１のポインタ値を計算する。再計算されたポインタ値は、送信ＶＣ−１１＃ａについては３２＋６＝３８、送信ＶＣ−１１＃ｂについては８＋７３＝８１、送信ＶＣ−１１＃ｃについては、８１＋９１＝１７２となる。ただし、送信ＶＣ−１１＃ｃの計算後の新ポインタ値は、４マルチフレーム周期である４×２７＝１０８を超えているため、１７２−１０８＝６４を新ポインタ値とする。【００４２】
図６を参照して、ＩＴＵ−Ｔ Ｇ.７０７インタフェースの受信側バッファ２０３、ＭＰＬＳカプセル化部２０４、低次群パス間位相整合制御部２１０、基準位相生成部２２１、ＩＦ内監視制御部２２２の必要な構成のみ示し、実際のＭＰＬＳカプセル化処理を説明する。【００４３】
ＭＰＬＳカプセル化処理の説明に必要な構成は、受信側バッファ書込制御部２０７、受信側ＶＣ−１１パスバッファ２０８、受信側バッファ読出制御部２０９、ラベル毎ＭＰＬＳカプセル化処理部２６１、受信側クロスコネクトテーブル５０５、ポインタ入替処理部２６２、ポインタ再計算部２０６および基準位相生成部２２１である。【００４４】
受信側バッファ書込制御部２０７は、同期確立後のＶＣ−１１パスデータを受信し、受信側ＶＣ−１１パスバッファ２０８内の各ＶＣ−１１パスに対して用意されている保存領域５１１に、サイクリックに書込む。ここで、受信側ＶＣ−１１パスバッファ２０８は、ＶＣ−１１＃１保存領域５１１−１、ＶＣ−１１＃２保存領域５１１−２、ＶＣ−１１＃ｂ保存領域５１１−ｂ、ＶＣ−１１＃ａ保存領域５１１−ａ、ＶＣ−１１＃２８保存領域５１１−２８を含んで構成されている。【００４５】
受信側クロスコネクトテーブル５０５は、各ＶＣ−１１毎に、ラベル情報、すなわち行先情報を保持している。ここで、受信側クロスコネクトテーブル５０５は、ＶＣ−１１＃１の行先は＃Ｃ、ＶＣ−１１＃２の行先は＃Ｄ、ＶＣ−１１＃ｂの行先は＃Ａ、ＶＣ−１１＃ａの行先は＃Ａ、ＶＣ−１１＃２８の行先は＃Ｅという情報を保持している。なお、ＰＲ（Priority）は、同じ行先＃Ａの多重化順序である。【００４６】
また、ラベル毎ＭＰＬＳカプセル化処理部２６１は、それぞれのラベル対応にＭＰＬＳカプセル化処理部５２１を設け、ＭＰＬＳカプセル化処理を行う。ここで、ラベル＃Ａ ＭＰＬＳカプセル化処理部５２１−１、ラベル＃Ｂ ＭＰＬＳカプセル化処理部５２１−２、ラベル＃Ｃ ＭＰＬＳカプセル化処理部５２１−３、ラベル＃Ｄ ＭＰＬＳカプセル化処理部５２１−４、ラベル＃Ｅ ＭＰＬＳカプセル化処理部５２１−５を示している。【００４７】
受信側バッファ読出制御部２０９は、受信側クロスコネクトテーブル５０５より、各ＶＣ−１１パスの行先情報を読み出す。受信側バッファ読出制御部２０９は、基準位相生成部２２１よりＩＴＵ−Ｔ Ｇ.７０７に規定される１セクションフレーム時間（１２５μｓｅｃ）未満の基準位相信号を受信している。受信側バッファ読出制御部２０９は、受信側ＶＣ−１１パスバッファの各パスデータの保存領域５１１−１〜５１１−２８の未読出領域の先頭から、１パケットに格納するデータ長分のデータを読出し、各ＭＰＬＳカプセル化処理部５２１へ受け渡す。各ＭＰＬＳカプセル化処理部５２１は、これらの情報をＭＰＬＳカプセルのペイロード部に格納する。これにより、行先が同じ低次群パスＶＣ−１１のデータを１つのＭＰＬＳフレームに纏めて格納し、且つＩＴＵ−Ｔ Ｇ.７０７に規定される１フレーム時間未満の時間以内にＭＰＬＳフレームへのカプセル化を行う。【００４８】
ポインタ入替処理部２６２は、ポインタ再計算部２０６より各パスの位相差を吸収し再計算した新ポインタ値を受け取る。ポインタ入替処理部２６２は、パス情報を収容するペイロード部内の先頭のポインタ情報収容位置に新ポインタ値をセットする。ここで、ポインタ情報収容位置は、Ｖ１バイトおよびＶ２バイトであり、図示の簡便のためＶ１バイト５３１のみを示す。なお、Ｖ１バイトおよびＶ２バイトを含むＭＰＬＳフレームの出現周期は、１２フレームに１フレームである。【００４９】
なお、ここでは、基準位相生成部２２１が受信側バッファ読出制御部２０９に対して供給する基準位相信号は、ＩＴＵ−Ｔ Ｇ.７０７に規定される１セクションフレーム中の１／３のタイミングとしており、ＶＣ−１１  １パスあたり３行分、９ｂｙｔｅのデータ、すなわちＳＴＭ−１フレーム中に含まれるデータの１／３を１つのＭＰＬＳフレームに格納する。また、ラベル毎ＭＰＬＳカプセル化処理部２６１は、図５で説明した論理により再計算されたポインタ値をポインタ再計算部２０６より受け取り、従前のポインタをこのポインタ情報に置換える処理も合わせて行う。【００５０】
図７を参照して、ＩＴＵ−Ｔ Ｇ.７０７インタフェースの送信側におけるＭＰＬＳフレームから低次群パスＶＣ−１１データを再生する処理を説明する。ここでは、送信側バッファ２１３、低次群パスマッピング部２１２およびＩＦ内監視制御部２２２の構成の中から、説明に必要な構成のみ示して説明を行う。【００５１】
送信側バッファ２１３は、送信元が異なるラベル毎にバッファ領域が区切られている。ここでは、送信側ラベル毎バッファ２１８として、更にその詳細をラベル＃Ａバッファ６１１−１、ラベル＃Ｆバッファ６１１−２として示している。これは、ラベル＃Ａを有するＭＰＬＳフレームのバッファ領域であること、ラベル＃Ｆを有するＭＰＬＳフレームのバッファ領域であることをそれぞれ示している。また、ラベル＃Ａバッファ６１１−１、ラベル＃Ｆバッファ６１１−２は、受信したＭＰＬＳフレームを時系列に保存する領域を持っている。【００５２】
図７では、ラベル＃Ａバッファ６１１−１では、Ｎｏ.ｋ番目に受信したＭＰＬＳフレームバッファ領域６１３−１、Ｎｏ.ｋ＋１番目に受信したＭＰＬＳフレームバッファ領域６１３−２、Ｎｏ.ｋ＋２番目に受信したＭＰＬＳフレームバッファ領域６１３−３を示している。また、ラベル＃Ｆバッファ６１１−２では、Ｎｏ.ｋ番目に受信したＭＰＬＳフレームバッファ領域６１６−１、Ｎｏ.ｋ＋１番目に受信したＭＰＬＳフレームバッファ領域６１６−２、Ｎｏ.ｋ＋２番目に受信したＭＰＭＬＳフレームバッファ領域６１６−３を示している。【００５３】
なお、各時系列に対応するＭＰＬＳフレームバッファ領域６１３、６１６は、１／３セクションフレーム周期毎に、ＩＴＵ−Ｔ Ｇ.７０７に示すＶＣ−１１低次群パスデータを同一行先のものを一ＭＰＬＳフレームへ多重してカプセル化した場合について示したものである。ＭＰＬＳフレームバッファ領域６１３、６１６は、｛９×（ＭＰＬＳフレーム内に多重されている低次群パス）｝ｂｙｔｅのバッファ領域を有している。なお、送信側バッファ２１３は、図７に図示した低次群パスデータ読出制御部２１９を含む。【００５４】
低次群パスマッピング処理部２１２は、ＶＣ−４ペイロードマッピング処理部６２１と、マルチフレーム同期確立処理部６２２により構成されている。マルチフレーム同期確立処理部６２２は、基準フレームパルス、および基準クロックを受信し、低次群パスデータ読出制御部２１９に対し、読出、書込タイミングを提供する。【００５５】
また、図３のＩＦ内監視制御部２２２の中に存在するクロスコネクト情報２２３のうち、送信側の情報のみを示した送信側クロスコネクトテーブル６０４は、ＭＰＬＳフレームの送信元毎、すなわちラベル毎に多重されている低次群パス情報を持ち、更に低次群パスのＩＴＵ−Ｔ Ｇ.７０７ ＶＣ−４ペイロード内の搭載位置情報を持っている。【００５６】
図７では、送信側クロスコネクトテーブル６０４内の、ラベル＃Ａに対応する領域６３１−１、ラベル＃Ｆに対応する領域６３１−２の２つの領域を示している。また、ここでは、ラベル＃ＡのＭＰＬＳフレームにはａおよびｂのＶＣ−１１パスが多重されている。ａおよびｂのＶＣ−１１パスは、それぞれＶＣ−４のＴＵＧ＃１中のｍ番目、ＶＣ−４のＴＵＧ＃２のｎ番目にマッピングされている。また、ラベル＃ＦのＭＰＬＳフレームにはｃおよびｄのＶＣ−１１パスが多重されている。ｃおよびｄのＶＣ−１１パスは、それぞれＶＣ−４のＴＵＧ＃１のｐ番目、ＶＣ−４のＴＵＧ＃３のｑ番目にマッピングされている。【００５７】
送信側クロスコネクトテーブル６０４は、各パスのエントリについても詳細を示している。すなわち、送信側クロスコネクトテーブル６０４は、ＶＣ−１１＃ａのクロスコネクトデータエントリ６３３−１、ＶＣ−１１＃ｂのクロスコネクトデータエントリ６３３−２、ＶＣ−１１＃ｃのクロスコネクトデータエントリ６３５−１、ＶＣ−１１＃ｄのクロスコネクトデータエントリ６３５−２を、それぞれ示している。これらのエントリ６３３、６３５は、多重される際の高次群パス種別、高次群パスのＳＴＭ−１フレーム内の順番、低次群パス自身の種別、低次群パスを多重する際のＴＵＧ番号、低次群パスのＴＵＧ内の位置情報を保持している。【００５８】
以降の説明では、簡単のためにラベル＃ＡのＭＰＬＳフレーム中に含まれている低次群パスＶＣ−１１＃ａに着目して、ＭＰＬＳフレームのペイロードからＶＣ−４ペイロードへのマッピング処理を説明する。【００５９】
今、送信側ラベル毎バッファ２１８内のラベル＃Ａバッファ６１１−１内のＮｏ.ｋ番目のパケットにＶＣ−１１マルチフレームの先頭が保存されているとする。この場合、ＶＣ−１１＃ａおよびＶＣ−１１＃ｂのデータが各々９ｂｙｔｅずつ搭載されており、必ずＮｏ.ｋ番目のパケットのそれぞれのＶＣ−１１パス搭載領域の先頭バイトが、ＶＣ−１１マルチフレームの先頭バイトに相当する。低次群パスデータ読出制御部２１９は、装置内基準フレームパルスおよび基準クロック情報に同期したタイミングで、送信側ラベル毎バッファ２１８内のラベル＃Ａバッファ６１１−１内のＮｏ.ｋ番目のＭＰＬＳフレーム格納領域６１３−１よりデータの読出を行う。読み出したデータは、送信側クロスコネクトテーブル６０４の情報に基づき、ＶＣ−４ペイロードマッピング処理部において、所定の位置にマッピングする。マッピングに際しては、先頭位置をＴＵＧの番号、低次群パスの番号の積で計算し、以降８４ｂｙｔｅ毎に順次１バイトずつマッピングする。基本的に、１行分で全てのパスデータが搭載されるので、１行分完成する都度、図３のセクション・高次群パスマッピング部２１１へ受け渡していく。【００６０】
なお、ＭＰＬＳフレーム１２フレームに１フレームで出現するＶ１バイトおよびＶ２バイトも、所定の位置にマッピングする。Ｖ１バイトおよびＶ２バイトは、以降のＳＤＨ・ＳＯＮＥＴ区間にて使用する。ただし、ＭＰＬＳフレーム１２フレームに１フレームのペイロード先頭のＶ１バイトは、ポインタ同期に利用する。【００６１】
以上図２ないし図７により、ＭＰＬＳ伝送装置１００によるＩＴＵ−Ｔ Ｇ.７０７に規定される低次群パスＶＣ−１１のカプセル化処理およびデカプセル化処理（再生処理）を実現することができる。また、本実施例により、カプセル化に伴う待機時間、すなわち遅延時間をＳＴＭ−１フレームの１／３フレーム時間とし、更にカプセル化したＭＰＬＳフレームへの複数のパスのデータを多重し、伝送することにより、転送効率を高めることができた。【００６２】
なお、実施例１では、パケットとしてＭＰＬＳフレームを使用した場合を説明した。しかし、ＶＬＡＮベースのＭＡＣフレームなど、ＭＰＬＳフレーム以外のパケットについても、同様に適用することが可能である。【００６３】
また、本実施例では、セクション信号としてＩＴＵ−Ｔ Ｇ.７０７ ＳＴＭ−１、高次群パスとしてＶＣ−４、低次群パスとしてＶＣ−１１を使用した場合を示したが、その他のセクション信号、高次群パス、低次群パスともに、同様の考え方でカプセル化し、伝送を行うことが可能である。また、本実施例では、ＭＰＬＳフレーム化後の送信インタフェースについては、特に説明していないが、ＩＥＥＥ８０２.３インタフェースを使用し、そのまま転送することも可能であるし、ＩＴＵ−Ｔ Ｇ.７０７インタフェースを物理媒体とし、ＰＯＳによりＭＰＬＳフレームを転送することも可能である。【００６４】
なお、ＩＴＵ−Ｔ Ｇ.７０７に規定されるＳＤＨと同様の技術であるＴｅｌｃｏｒｄｉａ ＧＲ−２５３−ＣＯＲＥにより規定されるＳＯＮＥＴにおいても、同様に本発明を使用し、低次群パスをＭＰＬＳフレーム化し伝送する伝送装置を構成することも可能である。ＳＤＨインタフェースまたはＳＯＮＥＴインタフェースを、本明細書ではＳＤＨ／ＳＯＮＥＴインタフェースと記載することがある。また、低次群パスまたは高次群パスとは、ＩＴＵ−Ｔ Ｇ.７０７またはＴｅｌｏｒｄｉａ ＧＲ−２５３−ＣＯＲＥにより規定される低次群パスまたは高次群パスである。さらに、ＩＥＥＥ８０２.３により規定されるインタフェースをイーサ・インタフェースと記載することがある。
【実施例２】
【００６５】
図８および図９を参照して、実施例２を説明する。実施例２は、伝送装置内において、クロスコネクトテーブルの変更が発生した場合に、瞬断無しでクロスコネクトテーブルの変更を可能とする付加機能に関する。【００６６】
図８を参照して、低次群パスＶＣ−１１をカプセル化したＭＰＬＳフレームのフォーマットを説明する。図８において、ＭＰＬＳフレーム７００は、ＭＰＬＳシムヘッダ７０１とＭＰＬＳペイロード７０３に加え、管理情報エリア７０２より構成される。管理情報エリア７０２は、使用中のクロスコネクトテーブル情報を示す使用中テーブルフラグ７０４を搭載する。使用中テーブルフラグ７０４は、０の場合にはクロスコネクトテーブルの０面を、１の場合には１面を使用させることを示す。【００６７】
図９を参照して、クロスコネクトテーブルの構成を説明する。ここで、図９（ａ）は、受信インタフェースで利用する受信側クロスコネクトテーブルを説明する図である。また、図９（ｂ）は、送信インタフェースで利用する送信側クロスコネクトテーブルを説明する図である。図９は、受信側フロー上にある受信側インタフェース８０１で使用される受信側クロスコネクトテーブル５０５Ａ、および送信側フロー上にある送信側インタフェース８０２に搭載される送信側クロスコネクトテーブル６０４Ａの構成を示している。【００６８】
図９（ａ）の受信側クロスコネクトテーブル５０５Ａは、受信側クロスコネクトテーブル５０５−０、および受信側クロスコネクトテーブル５０５−１の２面のクロスコネクトテーブルより構成される。また、図９（ｂ）の送信側クロスコネクトテーブル６０４Ａも送信側クロスコネクトテーブル６０４−０、および送信側クロスコネクトテーブル６０４−１の２面のクロスコネクトテーブルより構成される。【００６９】
送受信ともに、０面のクロスコネクトテーブルを使用している際、使用中テーブルフラグ７０４の値は０である。また、初期の１面のクロスコネクトテーブルは、０面クロスコネクトテーブルのコピーとする。【００７０】
クロスコネクトテーブルの変更が生じた場合には、まず待機面である１面のクロスコネクトテーブルに対し変更を加える。送受両方のクロスコネクトテーブルの変更が完了後、受信側に対しテーブル切替指示を行う。受信側では、使用するクロスコネクトテーブルの面を１面に変更するとともに、パケット中の使用中フラグ７０４の値を１に変更する。このパケットを受信した対向する送信側インタフェースは、使用するクロスコネクトテーブルを１面に切替える。これにより、受信側、送信側のクロスコネクトの変更タイミングを同期させ、瞬断無しでの変更ができる。
【実施例３】
【００７１】
図１０および図１１を参照して、ＭＰＬＳ伝送装置のネットワークの構成を説明する。ここで、図１０は、ＭＰＬＳ伝送装置を３台接続し、フルメッシュ型のネットワークのブロック図である。一方、図１１は、ＭＰＬＳ伝送装置を４台接続し、リング型のネットワークのブロック図である。【００７２】
図１０において、フルメッシュ型のネットワーク９００は、ＭＰＬＳ伝送装置１００−１、ＭＰＬＳ伝送装置１００−２、ＭＰＬＳ伝送装置１００−３により構成する。ＭＰＬＳ伝送装置１００は、いずれもクライアント信号を受信する複数のＩＴＵ−Ｔ Ｇ.７０７インタフェース部２００、ＭＰＬＳラベルスイッチ１０４、複数のＩＥＥＥ８０２.３インタフェース部１２０構成されている。また、各ＭＰＬＳ伝送装置１００間は、ＩＥＥＥ８０２.３インタフェース部により、接続する。【００７３】
ＩＴＵ−Ｔ Ｇ.７０７インタフェース部２００で受信したＳＤＨ信号中の低次群パスは、一旦ＩＴＵ−Ｔ Ｇ.７０７インタフェース部２００でＭＰＬＳフレームにカプセル化され、ＭＰＬＳフレーム形状のままＩＥＥＥ８０２.３インタフェース部１２０経由で他装置に転送される。転送されたＭＰＬＳフレームは、該当装置内のＩＴＵ−Ｔ Ｇ.７０７インタフェース部２００においてＩＴＵ−Ｔ Ｇ.７０７高次群パス、およびセクション信号上にマッピングされ、クライアント向けに送出される。【００７４】
図１１において、リング型のネットワーク９５０は、ＭＰＬＳ伝送装置１００−１、ＭＰＬＳ伝送装置１００−２、ＭＰＬＳ伝送装置１００−３、ＭＰＬＳ伝送装置１００−４により構成する。ＭＰＬＳ伝送装置１００は、クライアント信号を受信する複数のＩＴＵ−Ｔ Ｇ.７０７インタフェース部２００、ＭＰＬＳラベルスイッチ１０４、２台のＩＥＥＥ８０２.３インタフェース部１２０により構成される。また、ＭＰＬＳ伝送装置１００間は、ＩＥＥＥ８０２.３インタフェース部１２０により、接続する。【００７５】
ＩＴＵ−Ｔ Ｇ.７０７インタフェース部２００から受信したＳＤＨ信号中の低次群パスは、一旦ＩＴＵ−Ｔ Ｇ.７０７インタフェース部１２０でＭＰＬＳフレームにカプセル化され、ＭＰＬＳフレーム形状のままＩＥＥＥ８０２.３インタフェース部１２０経由で他装置に転送される。転送されたＭＰＬＳフレームは、該当装置内のＩＴＵ−Ｔ Ｇ.７０７インタフェース部２００においてＩＴＵ−Ｔ Ｇ.７０７高次群パス、およびセクション信号上にマッピングされ、クライアント向けに送出される。
【実施例４】
【００７６】
図１２を参照して、クロスコネクト装置の実施例を説明する。ここで、図１２は、クロスコネクト装置のブロック図である。図１２において、クロスコネクト装置（ＭＰＬＳ伝送装置）４００は、少なくとも４台のＩＴＵ−Ｔ Ｇ.７０７インタフェース部２００−１〜２００−４と、ＭＰＬＳスイッチ１０４により構成される。【００７７】
ＩＴＵ−Ｔ Ｇ.７０７インタフェース部２００で受信したＳＤＨ信号中の低次群パスは、一旦ＩＴＵ−Ｔ Ｇ.７０７インタフェース部２００ＡでＭＰＬＳフレームにカプセル化され、ＭＰＬＳフレーム形状のままＭＰＬＳスイッチ１１３１でクロスコネクトされた後、ＩＴＵ−Ｔ Ｇ.７０７インタフェース部２００ＢにおいてＩＴＵ−Ｔ Ｇ.７０７高次群パス、およびセクション信号上にマッピングされ、クライアント向けに送出される。
【産業上の利用可能性】
【００７８】
本発明は、行先が同じ低次群パスを１パケットに多重し、転送効率の向上を図っている。さらに、パケット化処理に伴う遅延時間をＳＤＨ／ＳＯＮＥＴの１フレーム時間未満としている。したがって、今後のＳＤＨ／ＳＯＮＥＴバックボーンネットワークのパケット化という動向を考えた場合に、本発明の利用可能性は非常に高い。
【図面の簡単な説明】
【００７９】
【図１】ネットワークのハードウェアブロック図である。
【図２】ＭＰＬＳ伝送装置のハードウェアブロック図である。
【図３】ＳＤＨ／ＳＯＮＥＴインタフェースの機能ブロック図である。
【図４Ａ】低次群パスのＭＰＬＳフレームへの収容を説明する図である（１）。
【図４Ｂ】低次群パスのＭＰＬＳフレームへの収容を説明する図である（２）。
【図５】低次群パスの位相整合処理を説明する図である。
【図６】低次群パスのカプセル化処理を説明する図である。
【図７】ＭＰＬＳフレームからの低次群パスの取り出しと、高次群パスへのマッピング処理を説明する図である。
【図８】ＭＰＬＳフレームの構成を説明する図である。
【図９】クロスコネクトテーブル構成を説明する図である。
【図１０】３ノードのフルメッシュネットワークのハードウェアブロック図である。
【図１１】４ノードのリングネットワークのハードウェアブロック図である。
【図１２】クロスコネクト装置のハードウェアブロック図である。
【符号の説明】
【００８０】
６…ＳＤＨ伝送装置、８…交換機、１０…電話機、１２…ルータ、１６…ＭＰＬＳフレーム伝送網、１７…監視制御系データ転送網（ＤＣＮ）、１８…ＳＤＨ ＳＴＭ−１インタフェース、２０…ＳＤＨ Ｃ−１１インタフェース、２２…加入電話インタフェース、２４…イーサ・インタフェース、２７…ＭＰＬＳパス、２８…ＶＣ−１１低次群パス、１００…ＭＰＬＳ伝送装置、１０４…ＭＰＬＳスイッチ、１１０…外部監視制御装置、１２０…ＩＥＥＥ８０２.３インタフェース、２００…ＩＴＵ−Ｔ Ｇ.７０７インタフェース、２０１…セクション・高次群パス同期確立、２０２…低次群パス同期確立、２０３…受信側バッファ、２０４…ＭＰＬＳカプセル化、２０５…位相比較、２０６…ポインタ再計算、２０７…受信側バッファ書込制御部、２０８…受信側ＶＣ−１１パスバッファ、２０９…受信側バッファ読出制御部、２１０…低次群パス間位相整合制御部、２１１…セクション・高次群パスマッピング、２１２…低次群パスマッピング、２１３…送信側バッファ、２１４…ＭＰＬＳカプセル化解除、２１７…送信側バッファ書込制御部、２１８…送信側ラベル毎バッファ、２１９…低次群パスデータ読出制御部、２２１…基準位相生成部、２２２…ＩＦ内監視制御部、２４１…基準フレームパルス・クロック分配部、２５１…装置内監視制御部、２６１…ラベル毎ＭＰＬＳカプセル化処理部、２２２…ポインタ入替処理部、３００…ＶＣ−４ペイロード、３０１…ＶＣ−４ペイロード１行分、３０２…ＶＣ−１１パスを収容するＭＰＬＳフレーム、３０５…ＭＰＬＳシムヘッダ、３０８…ＭＰＬＳラベル、４００…クロスコネクト装置、５０５…受信側クロスコネクトテーブル、５１１…受信側ＶＣ−１１バッファ、５２１…ＭＰＬＳカプセル化処理部、５３１…Ｖ１バイト、６０４…送信側クロスコネクトテーブル、６２２…マルチフレーム同期確立処理、６２１…ＶＣ−４ペイロードマッピング処理、６２３…基準フレームパルス、および基準クロック、６１１…ラベル毎バッファ、６１６…ラベル毎バッファ、６３１…送信側クロスコネクトテーブルのレコード、６３３…送信側クロスコネクトテーブル（送信側ラベル＃Ａ用）、６３５…送信側クロスコネクトテーブル（送信側ラベル＃Ｆ用）、７００…ＭＰＬＳフレーム、７０１…ＭＰＬＳシムヘッダ、７０２…管理情報エリア、７０３…ＭＰＬＳペイロード、７０４…使用中テーブルフラグ、８０１…受信側インタフェース、８０２…送信側インタフェース、９００…メッシュ型ネットワーク、９５０…リング型ネットワーク。
【図１】
2010055547.tif 000003
【図２】
2010055547.tif 000004
【図３】
2010055547.tif 000005
【図４Ａ】
2010055547.tif 000006
【図４Ｂ】
2010055547.tif 000007
【図５】
2010055547.tif 000008
【図６】
2010055547.tif 000009
【図７】
2010055547.tif 000010
【図８】
2010055547.tif 000011
【図９】
2010055547.tif 000012
【図１０】
2010055547.tif 000013
【図１１】
2010055547.tif 000014
【図１２】
2010055547.tif 000015
【国際調査報告】
2010055547.tif 000016
2010055547.tif 000017